(57)【要約】      （修正有）【課題】周波数スペクトルリソース利用の最大化を実現する装置及び方法を提供する。【解決手段】無線通信システム１の第１の装置は、無線通信に利用可能な時間帯の期間と共に配分された第１無免許な周波数スペクトルリソースを得て、利用可能な時間帯が第２の装置に利用可能である間の、配分された第１無免許な周波数スペクトルリソースの少なくとも一部、についての情報を含むインジケータを第２の装置に送信する回路を備える。第１の装置において、、第１無免許な周波数スペクトルリソースの使用は、無免許な周波数スペクトルリソースが認可されるプライマリシステムの保護下にある。【選択図】図２
2019068437.tif 000002
【特許請求の範囲】
【請求項１】
無線通信システムの第１の装置であって、
無線通信に利用可能な時間帯の期間と共に配分された第１無免許な周波数スペクトルリソースを得て、
前記利用可能な時間帯が第２の装置に利用可能である間の、前記配分された第１無免許な周波数スペクトルリソースの少なくとも一部、についての情報を含むインジケータを前記第２の装置に送信する、ように構成された回路を備え、
前記第１無免許な周波数スペクトルリソースの使用は、無免許な周波数スペクトルリソースが認可されるプライマリシステムの保護下にある、第１の装置。
【請求項２】
前記回路は、前記配分された第１無免許な周波数スペクトルリソースの少なくとも一部を前記第２の装置が利用可能な特定の時間帯の期間を示すように構成される、請求項１に記載の第１の装置。
【請求項３】
無線通信システムの装置であって、
利用可能な時間帯の期間と共に第１無免許な周波数スペクトルリソースを無線通信システムの第１の装置に配分し、
前記利用可能な時間帯の期間が前記装置に利用可能である間の、前記配分された第１無免許な周波数スペクトルリソースの少なくとも一部、についての情報を含むインジケータを前記第１の装置から受信する、ように構成された回路を備え、
前記第１無免許な周波数スペクトルリソースの使用は、無免許な周波数スペクトルリソースが認可されるプライマリシステムの保護下にある、装置。
【請求項４】
無線通信システムの第１の装置であって、
無線通信に利用可能な時間帯の期間と共に配分された第１無免許な周波数スペクトルリソースを得て、
前記利用可能な時間帯の期間の間の、前記配分された第１無免許な周波数スペクトルリソースの少なくとも一部、を第２の装置に再配分する、ように構成された回路を備え、
前記第１無免許な周波数スペクトルリソースの使用は、無免許な周波数スペクトルリソースが認可されるプライマリシステムの保護下にある、第１の装置。
【請求項５】
前記回路は、前記第１の装置及び第２の装置の現在リソース利用に基づいて、前記利用可能な時間帯の期間に前記第１無免許な周波数スペクトルリソースの少なくとも一部を前記第２の装置に再配分するように、配置されている請求項４に記載の第１の装置。
【請求項６】
前記回路は、前記第１の装置の操作パラメーターを再配分することにより前記第１無免許な周波数スペクトルリソースの少なくとも一部を再配分するように、配置されている請求項４に記載の第１の装置。
【請求項７】
前記操作パラメーターは利用可能周波数及び関連する最大送信パワーを含むとともに、前記回路は、前記第１の装置の周波数及び/又は送信パワーを再配分することにより前記第１無免許な周波数スペクトルリソースの少なくとも一部を再配分するように、配置されている請求項６に記載の第１の装置。
【請求項８】
前記回路は、前記第１の装置の前記第１無免許な周波数スペクトルリソースの現在リソース利用を確定し、前記第１無免許な周波数スペクトルリソースの少なくとも一部が前記第１の装置によって使用されていない場合、前記第１無免許な周波数スペクトルリソースの少なくとも一部を再配分するように、さらに配置されている請求項４に記載の第１の装置。
【請求項９】
利用可能周波数及び関連する最大送信パワーが、前記プライマリシステムに対して許容できない干渉がない前記第１無免許な周波数スペクトルリソースとして前記第１の装置に配分される、請求項４に記載の第１の装置。
【請求項１０】
前記利用可能な時間帯の期限切れ前に，前記第１無免許な周波数スペクトルリソースの少なくとも一部を放出する、請求項８に記載の第１の装置。
【請求項１１】
前記回路は、前記第１無免許な周波数スペクトルリソースの少なくとも一部を前記第２の装置に再配分する場合、他のセカンダリシステムに対する干渉を制御するように、さらに配置されている請求項５に記載の第１の装置。
【請求項１２】
前記第１無免許な周波数スペクトルリソースの少なくとも一部が既に利用可能でないことを指示する周波数スペクトル調整情報を受信する、請求項４に記載の第１の装置。
【請求項１３】
前記周波数スペクトル調整情報は、前記第１の装置のアイデンティティ情報、前記第１の装置に対して利用不可な前記第１無免許な周波数スペクトルリソースの少なくとも一部及び/又は前記第１の装置に配分された第２無免許な周波数スペクトルリソースを含む請求項１２に記載の第１の装置。
【請求項１４】
前記回路は、前記第２の装置の位置に基づいて前記第１無免許な周波数スペクトルリソースを前記第２の装置に再配分するように、配置されている請求項５に記載の第１の装置。
【請求項１５】
前記回路は、前記第１無免許な周波数スペクトルリソースの少なくとも一部を前記第２の装置に配分する前に、前記位置に基づいて前記第１無免許な周波数スペクトルリソースの少なくとも一部が前記第２の装置に対して利用可能であることを識別し、前記位置にある前記第２の装置の前記第１無免許な周波数スペクトルリソースの少なくとも一部に対する利用が前記プライマリシステムの許容できる範囲内の干渉を引き起こす場合、前記第１無免許な周波数スペクトルリソースの少なくとも一部が前記第２の装置に対して利用可能であるように、配置されている請求項１４に記載の第１の装置。
【請求項１６】
前記回路は、前記第２の装置の利用可能周波数スペクトルリソースを確定するとともに、前記位置に基づいて算出された、前記プライマリシステムの保護において前記第２の装置によって使用されることができる周波数及び関連する送信パワーを含む前記利用可能周波数スペクトルリソースに前記第１無免許な周波数スペクトルリソースの少なくとも一部が含まれる場合に前記第１無免許な周波数スペクトルリソースの少なくとも一部が前記第２の装置に対して利用可能であることを識別するように、配置されている請求項１５に記載の第１の装置。
【請求項１７】
前記位置にある前記第２の装置の前記第１無免許な周波数スペクトルリソースの少なくとも一部に対する利用が前記プライマリシステム及び他のセカンダリシステムの許容できる範囲内の干渉を引き起こす場合、前記第１無免許な周波数スペクトルリソースの少なくとも一部は前記第２の装置に対して利用可能である請求項１５に記載の第１の装置。
【請求項１８】
前記回路は、前記第２の装置から無免許な周波数スペクトルリソースに対する要求を受信するとともに、前記第２の装置を、前記第１無免許な周波数スペクトルリソースの少なくとも一部を再配分する対象として確定するように、配置されている請求項１４に記載の第１の装置。
【請求項１９】
前記回路は、第３の装置から無免許な周波数スペクトルリソースに対する要求を受信し、他のシステムに対して許容できない干渉を引き起こすため、前記第１無免許な周波数スペクトルリソースの少なくとも一部が前記第３の装置に再配分されない場合、前記第２の装置が占有した第２無免許な周波数スペクトルリソースを前記第３の装置に再配分して前記第１無免許な周波数スペクトルリソースの少なくとも一部を前記第２の装置に再配分するように、配置されている請求項１４に記載の第１の装置。
【請求項２０】
無線通信システムの第１の装置によって行われる方法であって、
無線通信に利用可能な時間帯の期間と共に配分された第１無免許な周波数スペクトルリソースを得ることと、
前記利用可能な時間帯が第２の装置に利用可能である間の、前記配分された第１無免許な周波数スペクトルリソースの少なくとも一部、についての情報を含むインジケータを前記第２の装置に送信することと、
を含み、前記第１無免許な周波数スペクトルリソースの使用は、無免許な周波数スペクトルリソースが認可されるプライマリシステムの保護下にある、方法。
【請求項２１】
無線通信システムの装置により実行される方法であって、
利用可能な時間帯の期間と共に第１無免許な周波数スペクトルリソースを無線通信システムの第１の装置に配分することと、
前記利用可能な時間帯の期間が前記装置に利用可能である間の、前記配分された第１無免許な周波数スペクトルリソースの少なくとも一部、についての情報を含むインジケータを前記第１の装置から受信することと、
を含み、
前記第１無免許な周波数スペクトルリソースの使用は、無免許な周波数スペクトルリソースが認可されるプライマリシステムの保護下にある、方法。
【請求項２２】
無線通信システムの第１の装置により実行される方法であって、
無線通信に利用可能な時間帯の期間と共に配分された第１無免許な周波数スペクトルリソースを得ることと、
前記利用可能な時間帯の期間の間の、前記配分された第１無免許な周波数スペクトルリソースの少なくとも一部、を第２の装置に再配分することと、
を含み、
前記第１無免許な周波数スペクトルリソースの使用は、無免許な周波数スペクトルリソースが認可されるプライマリシステムの保護下にある、方法。
【発明の詳細な説明】
【技術分野】
【０００１】
本開示は無線通信における周波数スペクトルリソースの管理に関し、特にプライマリシステム及びセカンダリシステムを含む通信システムに用いられる周波数スペクトルリソース管理機器、方法、システム及びセカンダリシステム機器に関する。
【背景技術】
【０００２】
無線通信の分野において、周波数スペクトルリソース利用の最大化を実現するために、通常、通信システムにおけるプライマリシステムの周波数スペクトル使用を確保する前提において、動的な周波数スペクトル管理方式によって通信システムに含まれたセカンダリシステムに周波数スペクトルリソースを配分する。しかしながら、周波数スペクトルリソースの配分は一定の履歴相続性を有し、つまり、周波数スペクトルリソースが、例えばあるセカンダリシステムに配分される場合に当該セカンダリシステムで一定の時間保留し、後続の周波数スペクトルリソース配分が従来の配分結果の制約において行われる。また、ネットワークのカバー密度とネットワークの配置の複雑性、及び周波数スペクトル使用の優先順位の相違が後続の周波数スペクトルリソース配分の制約条件を増やしたことで、周波数スペクトルリソース配分結果と当時の制約条件における最適な周波数スペクトルリソース配分結果との相違はネットワーク状態の変化に従って(新しいサービスの発生、終了、ユーザの移動)ますます大きくなり、周波数スペクトルリソースの使用は低効率になる。
【発明の概要】
【０００３】
下記に、本開示に関する何らか点の基本的な理解を提供するように、本開示に関する概略概要が与えられる。理解されるように、この概要は本開示に関する包括的な概要ではない。本開示のキー、又は重要部分を確定しようとするのではなく、本開示の範囲を限定しようとすることでもない。その目的は、ただ簡単な形式で何らか概念を与えて後述のより詳細な記述の前提とされることである。
【０００４】
従来技術の前記欠点に鑑み、本開示の目的の１つは、少なくとも従来技術における問題を克服するように、プライマリシステム及びセカンダリシステムを含む通信システムに用いられる周波数スペクトルリソース管理機器、方法、システム及びセカンダリシステム機器を提供することにある。
【０００５】
本開示の一実施例によれば、利用可能な時間帯に第１無免許な周波数スペクトルリソースを第１セカンダリシステムに配分し、現在リソース利用に基づいて利用可能な時間帯の期間に第１無免許な周波数スペクトルリソースの少なくとも一部を再配分するように配置されている回路を含み、回路は、無免許な周波数スペクトルリソースが認可されるプライマリシステムの保護において第１無免許な周波数スペクトルリソースを配分して再配分するように配置されている、セカンダリシステムの無免許な周波数スペクトルリソースに関する利用を管理するためのシステムを提供する。
【０００６】
本開示の他の一実施例によれば、利用可能な時間帯に第１無免許な周波数スペクトルリソースを第１セカンダリシステムに配分することと、現在リソース利用に基づいて利用可能な時間帯の期間に第１無免許な周波数スペクトルリソースの少なくとも一部を再配分することと、を含み、第１無免許な周波数スペクトルリソースを配分して再配分するステップは、無免許な周波数スペクトルリソースが認可されるプライマリシステムの保護にある、セカンダリシステムの無免許な周波数スペクトルリソースに関する利用を管理するための方法を提供する。
【０００７】
本開示の他の１つの実施例によれば、利用可能な時間帯にシステムに対して利用可能な第１無免許な周波数スペクトルリソースを確定し、利用可能な時間帯の期間に、第１無免許な周波数スペクトルリソースの少なくとも一部がシステムに対して既に利用可能でないことを指示する周波数スペクトル調整情報を受信し、周波数スペクトル調整情報に基づいてシステムの操作パラメーターを変更するように配置されている回路を含み、システムは、無免許な周波数スペクトルリソースが認可されるプライマリシステムの保護において、第１無免許な周波数スペクトルリソースに対して操作を行うシステムを提供する。
【０００８】
本開示の他の一実施例によれば、利用可能な時間帯にシステムに対して利用可能な第１無免許な周波数スペクトルリソースを確定することと、利用可能な時間帯の期間に、第１無免許な周波数スペクトルリソースの少なくとも一部がシステムに対して既に利用可能でないことを指示する周波数スペクトル調整情報を受信することと、周波数スペクトル調整情報に基づいてシステムの操作パラメーターを変更することと、を含み、システムは、無免許な周波数スペクトルリソースが認可されるプライマリシステムの保護において、第１無免許な周波数スペクトルリソースに対して操作を行う、システムに用いられる方法を提供する。
【０００９】
本開示の他の１つの実施例によれば、セカンダリシステムの無免許な周波数スペクトルリソースに関する利用を管理するためのシステムによって実行される場合、利用可能な時間帯に第１無免許な周波数スペクトルリソースを第１セカンダリシステムに配分し、現在リソース利用に基づいて利用可能な時間帯の期間に第１無免許な周波数スペクトルリソースの少なくとも一部を再配分するようにシステムをさせ、システムは、無免許な周波数スペクトルリソースが認可されるプライマリシステムの保護において、第１無免許な周波数スペクトルリソースを配分して再配分する、コンピュータ可読指令を含む非一時的なコンピュータ可読媒体を提供する。
【００１０】
また、本開示の実施例は、前記周波数スペクトルリソース管理方法を実現するためのコンピュータプログラムをさらに提供する。
【００１１】
さらに、本開示の実施例は、対応の前記周波数スペクトルリソース管理方法を実現するためのコンピュータプログラムコードが記憶される相応なコンピュータ可読記憶媒体をさらに提供する。
【００１２】
前記の本開示の実施例に応じたセカンダリシステムの無免許な周波数スペクトルリソースに関する利用を管理するためのシステム及び方法並びに非一時的なコンピュータ可読媒体は少なくとも、周波数スペクトルリソースの利用頻度を向上可能なことと、周波数スペクトルリソースの調整効率を向上可能なこと、のような有益効果の１つを実現することができる。
【００１３】
以下に図面を結合して本開示の最適な実施例を詳細に説明することにより、本開示のこれらの、及び他の利点はより明らかになる。
【図面の簡単な説明】
【００１４】
本開示は、下記において図面を結合して示された記述を参照することによって、よりよい理解が得られ、全ての図面において、同様又は類似の符号を使用して同様又は類似の部材を表示する。前記図面は下記の詳細な説明とともに本明細書に含まれて本明細書の一部を形成し、さらに例を挙げて本開示の好適な実施例を説明し本開示の原理及び利点を解釈することに用いられる。
【００１５】
【図１】図１はプライマリシステム及びセカンダリシステムを含む通信システムの一例を示す模式図である。
【００１６】
【図２】図２は本開示の第１実施例に応じた周波数スペクトルリソース管理機器を模式的に示す構成ブロック図である。
【００１７】
【図３】図３は図２に示すような周波数スペクトル調整装置の具体的な実現方式を模式的に示す模式図である。
【００１８】
【図４】図４は図３に示すような周波数スペクトル調整ユニットの具体的な実現方式を模式的に示す模式図である。
【００１９】
【図５ａ】本開示の実施例に応じた周波数スペクトル転送図の例を模式的に示す。
【図５ｂ】本開示の実施例に応じた周波数スペクトル転送図の例を模式的に示す。
【００２０】
【図６】図６は図３に示すような周波数スペクトル調整ユニットの他の具体的な実現方式を模式的に示す模式図である。
【００２１】
【図７】図７は本開示の実施例に応じた周波数スペクトル転送図の他の例を模式的に示す。
【００２２】
【図８】図８は本開示の実施例に応じた周波数スペクトルリソース転送を実施する通信システムの適用例を示す。
【００２３】
【図９】図９は本開示の他の実施例に応じた周波数スペクトルリソース管理機器を示す例示的な構成図である。
【００２４】
【図１０】図１０は本開示の実施例に応じた周波数スペクトルリソース管理方法を模式的に示すフロー図である。
【００２５】
【図１１】図１１は本開示の実施例に応じた周波数スペクトルリソース管理システムを示す模式的な構成ブロック図である。
【００２６】
【図１２】図１２は本開示の実施例に応じた周波数スペクトルリソース管理システムの模式的なシステム構成参照モデルを示す。
【００２７】
【図１３】図１３は本開示の実施例に応じた、周波数スペクトルリソース管理システムに用いられるシステム管理方法を示す模式図である。
【００２８】
当業者は、図面における要素は、ただ簡単と明確にするために示されたものであり、必ずしも一定の比率で作成していないと理解すべきである。例えば、図面におけるある素子の寸法は、本開示の実施例に対する理解を向上することに寄与するように、他の素子に対して拡大されることが可能である。
【発明を実施するための形態】
【００２９】
下記に、図面を結合して本開示の代表的な実施例を記述する。明快と簡明のために、明細書において、実際の実施形態の全ての特徴が記述されていない。しかしながら、理解できるように、何れのこのような実際の実施例を開発する過程において、開発者の具体的な目標を実現するように、実施形態に特定する複数の決定を下す必要があり、例えば、システム及びサービスに関するそれらの制限条件に即するとともに、これらの制限条件は実施形態によって変更する可能性がある。また、さらに了解されるように、開発作業は、非常に複雑且つ時間のかかるものである可能性があるが、本開示の内容から利得を得る当業者にとって、このような開発作業はただ日常的な任務である。
【００３０】
ここで、さらに説明する必要がある点は、必要のない細かい点で本開示を不明瞭にさせることを避けるために、図面において、ただ本開示に応じた方案に密接に関連する装置構成及び/又は処理ステップを示し、本開示との関係が小さい他の細かい点を省略する。
【００３１】
プライマリシステム及びセカンダリシステムを含む通信システムについて、プライマリシステム及びセカンダリシステムが同一又は隣り合う周波数スペクトル上において、互いの干渉を減少すると同時に周波数スペクトルリソースを合理的に利用することができるように、本開示は、プライマリシステムに干渉を発生しないように保証する場合にセカンダリシステムの周波数スペクトル使用を最適化する方法を提出し、有限の周波数スペクトルリソースに対する充分な利用を実現する。通常、プライマリシステムはプライマリ基地局及びプライマリユーザを含み、セカンダリシステムはセカンダリ基地局及びセカンダリユーザを含む。本開示によれば、プライマリシステムは許可周波数スペクトルの使用権を持つシステムであってもよいし、それに応じて、セカンダリシステムは許可周波数スペクトルの使用権を持たないシステムであってもよい。本開示の他の一実施例によれば、プライマリシステムは、セカンダリシステムと同時に周波数スペクトル使用権を有するが、周波数スペクトル使用優先順位がセカンダリシステムより高いシステムであってもよい。この場合、セカンダリシステムはプライマリシステムに干渉を発生しない場合にかぎり、プライマリシステムとともに許可周波数スペクトルを使用することができる。プライマリシステム、セカンダリシステムの概念は本分野の公知のことである。ここでは、それに対して、さらに詳しく記述しない。
【００３２】
図１はプライマリシステム及びセカンダリシステムを含む通信システムの１例の模式図を示している。
【００３３】
図１に示すような通信システムは、３つのプライマリシステムA、B、Cと、３つのセカンダリシステムa、b、cと、セカンダリシステムの周波数スペクトルリソースを管理するための周波数スペクトルリソース管理機器D１と、を含む。
【００３４】
図１に示す通信システムはただの例であり、当業者にとって理解できるように、通信システムに含まれたプライマリシステム及びセカンダリシステムは他の数であってもよく、例えば、２つ又は４つ以上のプライマリシステムを含む等である。
【００３５】
ここで説明されるように、プライマリシステム及びセカンダリシステムを含む通信システムについて、ネットワーク状態が変化することで（例えば新たなリソース需要を有するセカンダリシステムが存在することで当該セカンダリシステムに周波数スペクトルリソースを配分する必要がある）周波数スペクトルリソースを調整する必要がある場合、少なくとも外部制約条件を満たす必要があり、つまり、当該セカンダリシステムが周波数スペクトルを使用する場合にプライマリシステムに（例えば図１におけるプライマリシステムA、B、C）もたらされた干渉がプライマリシステムの許容範囲内にあることである。また、ある場合には（特に、既に周波数スペクトルリソースが配分されたセカンダリシステムよりもリソース請求を有するセカンダリシステムが高い優先順位を有する場合）、内部制約条件を同時に満たす必要がさらにあり、つまり、セカンダリシステム（例えば図１におけるセカンダリシステムa、b）の間の干渉も許容範囲内にさせることである。
【００３６】
図２は本開示の第１実施例に応じた周波数スペクトルリソース管理機器を模式的に示す構成ブロック図である。
【００３７】
図２に示すように、本開示の実施例に応じた周波数スペクトルリソース管理機器１は、当該周波数スペクトルリソース管理機器１が管理した各々の周波数スペクトルリソース調整手段の、プライマリシステムに対する各々の周波数スペクトルリソース調整手段の干渉がプライマリシステムに許容される範囲内にある条件での各々の周波数スペクトルリソース調整手段の利用可能周波数スペクトル関連情報に対応する利用可能周波数スペクトル情報と、既に各々の周波数スペクトルリソース調整手段に配分し占有された占有周波数スペクトル関連情報に対応する占有周波数スペクトル情報と、を取得するための周波数スペクトル情報取得装置１１と、少なくとも、各々の周波数スペクトルリソース調整手段の前記利用可能周波数スペクトル情報及び前記占有周波数スペクトル情報に基づいて、前記各々の周波数スペクトルリソース調整手段における少なくとも部分の周波数スペクトルリソース調整手段に対する周波数スペクトル調整を確定するための周波数スペクトル調整装置１２と、を含む。
【００３８】
本開示の実施例によれば、周波数スペクトル調整装置は、占有周波数スペクトル情報の時効期限内の、前記各々の周波数スペクトルリソース調整手段に対する周波数スペクトル調整を確定することに用いられてもよいし、周波数スペクトルリソース調整手段に配分された周波数スペクトルが無効になった後、前記各々の周波数スペクトルリソース調整手段に対する周波数スペクトル調整に用いられてもよい。従来技術において、周波数スペクトルリソース調整手段に配分された周波数スペクトルが無効になった後、ただ全ての周波数スペクトルリソース調整手段の周波数スペクトル使用を調整することよりも、本開示の実施例に応じた周波数スペクトルリソース管理機器は、周波数スペクトルリソースに対する高効率な使用が実現できる。
【００３９】
利用可能周波数スペクトル情報は、外部制約条件の制限に応じて確定されたセカンダリシステムのサービス範囲内の異なる位置の利用可能周波数スペクトルリソースに関する情報である。外部制約条件の制限に応じて、セカンダリシステムのサービス範囲内の異なる位置の利用可能リソース(周波数スペクトル及び最大パワー)が異なり、それぞれの周波数スペクトルリソース調整手段に対して、周波数スペクトルリソース管理機器１の周波数スペクトル情報取得装置１１は、その位置に応じて、例えば地理位置データベース(Geo-location Data Base、GLDB)から当該位置の利用可能周波数スペクトル情報を当該周波数スペクトルリソース調整手段の利用可能周波数スペクトル情報として取得することができる。地理位置データベースの定義、及びその利用可能周波数スペクトル情報を確定する具体的な方法は従来技術であり、例えば、参照文献である「Draft of ECC report: Technical and operational requirements for the
operation of white space devices under geo-location approach」、 CEPT、ECC１８６、２０１３年１月を参照することができ、ここでは、それに対する詳細な記述を省略している。
【００４０】
占有周波数スペクトル情報は既に各々の周波数スペクトルリソース調整手段に配分し占有された周波数スペクトルである。各々の周波数スペクトルリソース調整手段に配分し占有された周波数スペクトルは、当該周波数スペクトルリソース調整手段によって使用されてもよいし、当該周波数スペクトルリソース調整手段が現在にリソース需要を有しないことで使用されない、または部分的に使用されてもよい。周波数スペクトルリソース管理機器１が、周波数スペクトルリソース調整手段に対して周波数スペクトルリソースの配分を行うことに用いられることができるので、それぞれの周波数スペクトルリソース調整手段の既に配分されたリソースをメンテナンスすることができることにより、周波数スペクトルリソース管理機器１の周波数スペクトル情報取得装置１１は各々の周波数スペクトルリソース調整手段の占有周波数スペクトル情報を取得する。
【００４１】
本開示の実施例によれば、通信システムにおける周波数スペクトルリソース調整手段は、通信システムにおける単一のセカンダリシステム（例えば、ただ１つセカンダリ基地局及びそのセカンダリユーザを含む構成）であってもよいし、通信システムにおける１組のセカンダリシステム（例えば、複数のセカンダリ基地局及びそのセカンダリユーザを含む構成)であってもよいが、セカンダリシステムにおける単一のセカンダリユーザであってもよいし、通信システムにおける１組のセカンダリユーザであってもよい。１組のセカンダリユーザ、又は１組のセカンダリシステムである場合について、セカンダリユーザ、又はセカンダリシステムの、例えば周波数スペクトル使用の優先順位又は領域分布特徴に応じて、同様な優先順位、又は同様な分布領域を有するセカンダリユーザ、又はセカンダリシステムを１組のセカンダリユーザ、又は１組のセカンダリシステムとして選択してもよい。
【００４２】
本開示の第１実施例に応じた周波数スペクトルリソース管理機器１は、図１に示す管理セカンダリシステムa、b、cの周波数スペクトルリソース管理機器D１に対応することができる。
【００４３】
図１に示すような通信システムが３つのプライマリシステム及び３つのセカンダリシステムを含むとともに、単一のセカンダリシステムを通信システムにおける１つの周波数スペクトルリソース調整手段とする例において、周波数スペクトルリソース管理機器１の周波数スペクトル情報取得装置１１は、例えば地理位置データベース(Geographic location Data Base、 GLDB、図で示す)からセカンダリシステムa、b、cの、ともにCH１及びCH２である利用可能周波数スペクトルを取得することができるとともに、周波数スペクトルリソース管理機器１によってメンテナンスされたセカンダリシステムa、b、cの、それぞれがCH２、CH１、CH２である占有周波数スペクトルを取得することができる。
【００４４】
本開示の実施例によれば、周波数スペクトル情報取得装置１１は、それぞれの予定のタイミングで当該周波数スペクトルリソース管理機器が管理した各々の周波数スペクトルリソース調整手段の利用可能周波数スペクトル情報及び占有周波数スペクトル情報を取得することができる。
【００４５】
各々の周波数スペクトルリソース調整手段の周波数スペクトルリソース使用を調整することは一定の算出量及び機器の消費電力を消費する必要があるので、その実行について、適当な時機及び頻度を選択する必要がある。本開示の一実施例によれば、周波数スペクトル情報取得装置１１は、周波数スペクトルリソース要求に関する情報及びアイドルの周波数スペクトルリソースに関する情報を取得するように、さらに配置されている。また、本開示の一実施例によれば、周波数スペクトル調整装置１２は、以下の少なくとも１つの条件を満たす場合、当該周波数スペクトルリソース管理機器が管理した各々の周波数スペクトルリソース調整手段における少なくとも部分の周波数スペクトルリソース調整手段に対する周波数スペクトル調整を確定するように配置されている。即ち、
【００４６】
通信システムにおいて、アイドルの周波数スペクトルリソースが存在するとともに、周波数スペクトルリソース要求を有する周波数スペクトルリソース調整手段も存在する条件iと、
【００４７】
少なくとも２つの周波数スペクトルリソース調整手段を含む評価対象について、周波数スペクトルリソースに対する周波数スペクトルリソース調整手段の占有がプライマリシステムの干渉の許容範囲を満たすことで算出された見込みスループットと現在のスループットとの差が予定閾値より大きい条件iiと、
【００４８】
通信システムに存在する、周波数スペクトルリソース要求を有する周波数スペクトルリソース調整手段が予定時間帯内に周波数スペクトルリソースが得られなかった条件iiiと、である。
【００４９】
本開示の実施例によれば、アイドルの周波数スペクトルリソースは、既に周波数スペクトルリソースが配分された周波数スペクトルリソース調整手段によって放出された周波数スペクトルリソースと、まだいずれの周波数スペクトルリソース調整手段にも配分し占有されていない周波数スペクトルリソースと、を含む。
【００５０】
本開示の一実施例によれば、周波数スペクトル情報取得装置１１は、既に周波数スペクトルリソースを占有した周波数スペクトルリソース調整手段からその放出された周波数スペクトルリソースに関する情報を受信するとともに、放出された周波数スペクトルリソースをアイドルの周波数スペクトルリソースとするように、さらに配置されている。
【００５１】
下記において、周波数スペクトルリソース調整をトリガーするための前記条件を順に詳しく記述する。
【００５２】
条件iについて、例えば、通信システムにおいてその周波数スペクトルリソースが放出された周波数スペクトルリソース調整手段が存在するとともに、周波数スペクトルリソース要求を有する周波数スペクトルリソース調整手段も存在する場合、又は通信システムにおいて依然としていずれの周波数スペクトルリソース調整手段にも占有されていない周波数スペクトルリソースが存在するとともに、周波数スペクトルリソース要求を有する周波数スペクトルリソース調整手段が存在する場合、条件iを満たすように認められ、周波数スペクトル調整装置１２はこの場合、各々の周波数スペクトルリソース調整手段における少なくとも部分の周波数スペクトルリソース調整手段に対する調整の確定をトリガーする。
【００５３】
条件iiについて、周波数スペクトル調整装置１２は、少なくとも２つの周波数スペクトルリソース調整手段を含む評価対象について定期的にシステム容量推定を行うとともに、周波数スペクトルリソースに対する周波数スペクトルリソース調整手段の占有がプライマリシステムの干渉の許容範囲を満たすことで算出された見込みスループットと現在のスループットとの差が予定閾値より大きい場合、各々の周波数スペクトルリソース調整手段における少なくとも部分の周波数スペクトルリソース調整手段に対する調整を始動することができる。具体的には、例えば、外部制約条件及び/又は内部制約条件に応じて相応な周波数スペクトルリソースを再配分し、得られたスループットが見込みシステム容量として記録され、現在の配分結果から発生されたスループットが現在システム容量として記録され、もし見込みシステム容量と現在システム容量との差が予め設定されたシステム容量差閾値を越えるならば、周波数スペクトル調整装置は、各々の周波数スペクトルリソース調整手段における少なくとも部分の周波数スペクトルリソース調整手段に対する調整の確定を始動する。期間は、システムの動作状態の履歴情報に応じて設定されることができ、１つの方式は、初期段階において小さな時間間隔でシステム容量推定を行い、そして見込みシステム容量と現在システム容量との差が予め設定されたシステム容量差閾値を越えるまで、時間間隔を徐々に大きくさせ、再び再計時して当該操作を繰り返し、何回も起こった後、時間の平均値を取って期間の頻度とすることである。もう１つの方式は、ネットワーク状態変化操作(新サービスの発生、終了、ユーザの移動)の数に応じて、見込みシステム容量と現在システム容量との差が予め設定されたシステム容量差閾値を越えるまで、初期段階において状態変化操作が有する、即ちシステム容量推定を行い、再び再計数して当該操作を繰り返し、何回も起こった後、変化操作の数の平均値を取って期間の頻度とすることである。容量推定を行うことについて、選択された推定対象の範囲は、全てのセカンダリシステム、部分のセカンダリシステム、部分のセカンダリユーザ、又はそれらの組み合わせを含むことができ、選択された部分の周波数スペクトルリソース調整手段は、高い優先順位を有し、より良いQoS保護を得る必要がある周波数スペクトルリソース調整手段であることができる。
【００５４】
条件iiiについて、１２前記通信システムに存在する、周波数スペクトルリソース要求を有する周波数スペクトルリソース調整手段が予定時間帯内に周波数スペクトルリソースを得られなかった場合、（即ち、条件iiiを満たす）、周波数スペクトル調整装置１２は各々の周波数スペクトルリソース調整手段における少なくとも部分の周波数スペクトルリソース調整手段に対する調整の確定を始動することができる。予定時間帯は計時することによって確定されることができ、例えば、当該周波数スペクトルリソース調整手段が周波数スペクトルリソース需要を発起することからタイマーを初期化し、予め設定された時間閾値を越えても依然としてリソース配分が得られない場合、当該周波数スペクトルリソース手段が予定時間帯内に周波数スペクトルリソースを得ていないと、判定される。当業者にとって理解できるように、当該時間閾値はセカンダリシステムの配置によって任意に設置されることができる。
【００５５】
図３は図２に示すような周波数スペクトル調整装置１２の具体的な実現方式を示す模式図である。
【００５６】
図３に示すように、周波数スペクトル調整装置１２は、各々の周波数スペクトルリソース調整手段の利用可能周波数スペクトル情報及び占有周波数スペクトル情報に基づく、２つの周波数スペクトルリソース調整手段それぞれの間の、２つの周波数スペクトルリソース調整手段における第１周波数スペクトルリソース調整手段の占有周波数スペクトルが第２周波数スペクトルリソース調整手段の利用可能周波数スペクトルに属するか否かを表明する情報を含む周波数スペクトルリソース転送情報を確定するための周波数スペクトルリソース転送情報取得ユニット１２１と、周波数スペクトルリソース転送情報に応じて各々の周波数スペクトルリソース調整手段に対する周波数スペクトル調整を確定するための周波数スペクトル調整ユニット１２２と、を含む。
【００５７】
本開示の実施例によれば、２つの周波数スペクトルリソース調整手段における第１周波数スペクトルリソース調整手段の占有周波数スペクトルが第２周波数スペクトルリソース調整手段の利用可能周波数スペクトルに属する場合、第１周波数スペクトルリソース調整手段の占有周波数スペクトルを第２周波数スペクトルリソース調整手段に転送し使用可能のように表明している。周波数スペクトルリソース転送情報取得ユニット１２１により確定された周波数スペクトルリソース転送情報に基づいて、周波数スペクトル調整ユニット１２２は、少なくとも部分の周波数スペクトルリソース調整手段に対する周波数スペクトル調整を確定することができる。
【００５８】
具体的には、条件iを満たすことで発起された周波数スペクトルリソース調整について、周波数スペクトル調整ユニット１２２は、周波数スペクトルリソース調整手段の間の周波数スペクトルリソース転送情報に応じて、アイドル周波数スペクトルリソースの対応する周波数スペクトルリソース調整手段から周波数スペクトルリソース要求を有する周波数スペクトルリソース調整手段までの周波数スペクトル転送方式を確定することにより、周波数スペクトル転送に係る周波数スペクトルリソース調整手段の周波数スペクトル占有を調整し、周波数スペクトルリソース要求を有する周波数スペクトルリソース調整手段の周波数スペクトル需要を満たすように、配置されている。
【００５９】
条件iiを満たすことで発起された周波数スペクトルリソース調整である場合、周波数スペクトルリソース転送情報取得ユニット１２１はさらに、２つの周波数スペクトルリソース調整手段における第２周波数スペクトルリソース調整手段が前記第１周波数スペクトルリソース調整手段の占有周波数スペクトルを占有した後に発生されたスループットと、現在占有している周波数スペクトルを占有した場合に発生されたスループットと、の差を周波数スペクトルリソース転送情報として取得する。条件iiを満たすことで発起された周波数スペクトルリソース調整である場合、周波数スペクトル調整ユニット１２２は、スループット情報を含む周波数スペクトルリソース転送情報に基づいて、周波数スペクトル調整された後に少なくとも２つの周波数スペクトルリソース調整手段からなる評価対象のスループットが予定条件を満たす周波数スペクトル転送方式を確定し、周波数スペクトル転送に係る周波数スペクトルリソース調整手段の周波数スペクトル占有を調整する。本開示の実施例によれば、予定条件は、例えば周波数スペクトル調整された後に、評価対象のスループットと調整される前のスループットとの差が予め設定されたシステム容量差閾値より大きくてもよい。当該予め設定されたシステム容量差閾値は、周波数スペクトルリソース調整に対する具体的な要求に応じて任意に設置されることができ、例えば、それを０に設置されることができ、つまり、周波数スペクトル調整された後に、評価対象のスループットが、調整される前のスループットより大きくなる場合、周波数スペクトルリソース調整手段の周波数スペクトル占有に対する調整をトリガーする。
【００６０】
図４は図３に示すような周波数スペクトル調整ユニット１２２の具体的な実現方式を示す模式図である。
【００６１】
図４を参照するように、周波数スペクトル調整ユニット１２２は、周波数スペクトル転送図生成モジュール１２２１及び周波数スペクトル調整モジュール１２２２を含む。
【００６２】
図４に示すように、周波数スペクトル転送図生成モジュール１２２１は各々の周波数スペクトルリソース調整手段の前記利用可能周波数スペクトル情報及び前記占有周波数スペクトル情報に応じて、それぞれの頂点が１つの周波数スペクトルリソース調整手段を表示し、第１周波数スペクトルリソース調整手段の占有周波数スペクトルが前記第２周波数スペクトルリソース調整手段の利用可能周波数スペクトルに属するとともに前記第２周波数スペクトルリソース調整手段が前記第１周波数スペクトルリソース調整手段の占有周波数スペクトルを占有することが相応なサービス需要を満たすことができる場合、前記第１周波数スペクトルリソース調整手段を表示する頂点を尾頂点とし、前記第２周波数スペクトルリソース調整手段を表示する頂点を頭頂点として１つの有向弧を設けて、当該有向弧に、第１の要素が第１周波数スペクトルリソース調整手段の占有周波数スペクトルである重み値を付与するような方式で形成された周波数スペクトル転送図を生成する。
【００６３】
図５a及び図５bは本開示の実施例に応じた周波数スペクトル転送図の例を示す。図５a及び図５bに示すように、当該周波数スペクトル転送図G１及びG２におけるそれぞれの頂点Vは１つ周波数スペクトルリソース調整手段を表示し、仮に現在の通信システムに何れの周波数スペクトルリソース調整手段にも配分し占有されていない周波数スペクトルリソースが当該周波数スペクトルリソース調整手段の占有周波数スペクトルを構成することを前提として、通信システムにおいて何れの周波数スペクトルリソース調整手段にも配分し占有されていないリソースが存在する場合、１つの頂点を導入して１つのこのような周波数スペクトルリソース調整手段を代表する。任意の２つの頂点Vi及びV１について、Viの現在占有している周波数スペクトルChiがV１の利用可能周波数スペクトルに属し、且つV１がChi及びその取得可能な最大パワーを使用することがV１のサービス需要を満足可能であれば、Viを尾頂点としV１を頭頂点として１つの有向弧（directed arc）を設けてVi→V１として記載され、弧Vi→ V１に、転送した周波数スペクトルCHiを代表する要素W（Vi→V１）を含む重み値を付与する。
【００６４】
図４に戻る。周波数スペクトル転送図生成モジュール１２２１が上記方式によって周波数スペクトル転送図を生成した後、各々の周波数スペクトルリソース調整手段の周波数スペクトルを調整することをトリガーする条件に応じて、周波数スペクトル調整モジュール１２２２は当該周波数スペクトル転送図に基づいて各々の周波数スペクトルリソース調整手段に対する周波数スペクトル調整を確定する。
【００６５】
本開示の実施例によれば、条件iにおいて、周波数スペクトル調整モジュール１２２２は、周波数スペクトル転送図においてアイドル周波数スペクトルリソースの対応する周波数スペクトルリソース調整手段を源頂点とし、周波数スペクトルリソース要求を有する周波数スペクトルリソース調整手段を目標頂点とする有向経路を取得するとともに、当該有向経路に基づいてアイドル周波数スペクトルリソースの対応する周波数スペクトルリソース調整手段から周波数スペクトルリソース要求を有する周波数スペクトルリソース調整手段までの周波数スペクトル転送方式を確定するように、配置されている
【００６６】
より具体的には、通信システムにその周波数スペクトルリソースが放出された周波数スペクトルリソース調整手段が存在するとともに、周波数スペクトルリソース要求を有する周波数スペクトルリソース調整手段も存在する場合、周波数スペクトル調整モジュール１２２２は周波数スペクトルリソースを放出するリソース周波数スペクトル調整手段の対応する頂点から出発し、周波数スペクトル転送図において、アイドル周波数スペクトルリソースの対応する周波数スペクトルリソース調整手段を源頂点、周波数スペクトルリソース要求を有する周波数スペクトルリソース調整手段を目標頂点とする有向経路を探す。例えば、図５aに示すような例において、頂点Viに対応する周波数スペクトルリソース調整手段が周波数スペクトルリソースChiを放出する、頂点Vjに対応する周波数スペクトルリソース調整手段が周波数スペクトルリソース要求を有する場合、頂点Viを開始点として、重み値がChiである弧からVjに指向する有向経路を探す。当該弧の指向するノードは周波数スペクトルリソース要求を有する周波数スペクトルリソース調整手段の対応する頂点Vjであれば、１回の周波数スペクトル転送だけで周波数スペクトル調整の需要を満足可能な方案を探し出すことを意味している。
【００６７】
さらに、通信システムにおいて周波数スペクトルリソースがいずれの周波数スペクトルリソース調整手段にも占有されていないことが存在するとともに、周波数スペクトルリソース要求を有する周波数スペクトルリソース調整手段が存在する場合、周波数スペクトル調整モジュール１２２２は周波数スペクトルリソース管理機器の対応する頂点から出発し、周波数スペクトル転送図において、当該周波数スペクトルリソース管理機器を源頂点、周波数スペクトルリソース要求を有する周波数スペクトルリソース調整手段を目標頂点とする有向経路を探す。例えば、図５aに示すような例において、周波数スペクトルリソース管理機器の対応する頂点Viに配分された占有周波数スペクトルリソースがChiである、頂点Vjに対応する周波数スペクトルリソース調整手段が周波数スペクトルリソース要求を有する場合、頂点Viを開始頂点として、重み値がCHiである弧からVjに指向する有向経路を探す。同じように、当該弧の指向するノードは周波数スペクトルリソース要求を有する周波数スペクトルリソース調整手段の対応する頂点Vjであれば、１回の周波数スペクトル転送だけで周波数スペクトル調整の需要を満足可能な方案を探し出すことを意味している。
【００６８】
有向経路を探した後、周波数スペクトル調整モジュール１２２２は当該有向経路に応じて、アイドル周波数スペクトルリソースの対応する周波数スペクトルリソース調整手段から周波数スペクトルリソース要求を有する周波数スペクトルリソース調整手段までの周波数スペクトル転送方式を確定することができる。例えば、複数の有向経路が存在する場合、周波数スペクトル調整モジュール１２２２は最少の頂点を含む有向経路に応じて、アイドル周波数スペクトルリソースの対応する周波数スペクトルリソース調整手段から周波数スペクトルリソース要求を有する周波数スペクトルリソース調整手段までの周波数スペクトル転送方式を確定することができる。
【００６９】
本開示の実施例によれば、条件iiにおいて、周波数スペクトル転送図生成モジュール１２２１は、前記第２周波数スペクトルリソース調整手段が前記第１周波数スペクトルリソース調整手段の占有周波数スペクトルを占有した後に発生されたスループットと、その現在占有している周波数スペクトルを占有した場合に発生されたスループットとの差である第２の要素を、当該有向弧の重み値に付与するように、さらに配置されている。例えば、図５bに示すように、第１周波数スペクトルリソース手段の対応する頂点Viから第２周波数スペクトルリソース手段の対応する頂点V１までの有向弧の重み値の第２の要素はΔTHviとして記載される。
【００７０】
この場合、周波数スペクトル調整モジュール１２２２は、周波数スペクトル転送図において前記重み値の第２の値の和を最大（それに、さらに例えば、ゼロより大きい）にさせる有向リングを取得するとともに、当該有向リングに基づいて各々の周波数スペクトルリソース調整手段の周波数スペクトル占有に対する調整を確定するように、配置されている。例えば、図５bに示すような例において、それぞれの有向リング上の各弧の重みの第２の要素の和が当該有向リングの重み値として記載される。周波数スペクトル転送図G２において、各弧の重みの第２の要素が最大値を有する弧の尾頂点を、同時に源頂点及び目標頂点とする有向リングを探す。
【００７１】
本開示の好適な実施例によれば、有向リングおよびシステム容量差が予め設定されたシステム容量差閾値を超えていないことに応じて周波数スペクトル交換が行われた場合、周波数スペクトル交換を行った後に更新された、当該有向リングの各頂点に対応する周波数スペクトルリソース調整手段の占有周波数スペクトル情報に応じて、新たな周波数スペクトル転送図G１が生成され、そしてG１において重み値が最大（例えば、ゼロより大きい）の有向リングが探され、全てのリングの重み値の和が予め設定されたシステム容量差閾値を越える（この場合、目標調整方案が見つかる）、又は転送図において、システム容量を増加させる有向リングがなくなるまで、上記動作は繰り返される。
【００７２】
さらに、当業者にとって理解できるように、条件iiと類似に、条件iにおいて、周波数スペクトル転送図生成モジュール１２２１は、前記第２周波数スペクトルリソース調整手段が前記第１周波数スペクトルリソース調整手段の占有周波数スペクトルを占有した後に発生されたスループットと、現在占有している周波数スペクトルを占有した場合に発生されたスループットとの差である第２の要素を、当該有向弧の重み値に付与するように、配置されてもよい。この場合、周波数スペクトル調整モジュール１２２２は、有向弧の第２の要素にさらに基づいて少なくとも部分の周波数スペクトルリソース調整手段の周波数スペクトル調整方案を確定するように、配置されることができる。例えば、図５aに示すように、重み値の第１項がChiである弧を頂点Viから出発して探し、複数の弧があれば、当該弧の重み値の第２項に応じて降順に考察し、当該弧の指向することは頂点Vjであれば、１回の周波数スペクトル転送だけで目標を満足可能な方案を探したことを意味しており、さもなければ、当該弧の指向する尾頂点Viを源頂点とし周波数スペクトルリソース要求を有する周波数スペクトルリソース調整手段の対応する頂点Vjを目標頂点とする有向経路を、弧の重み値の第２項に応じて降順に探す。
【００７３】
図３に戻り、条件iiiを満たすことで発起された周波数スペクトルリソース調整について、前記周波数スペクトルリソース調整手段の間の周波数スペクトルリソース転送情報に応じて、周波数スペクトルリソース要求を有する周波数スペクトルリソース調整手段が周波数スペクトルリソースを多重化する周波数スペクトル転送方式を確定して周波数スペクトル転送に係る周波数スペクトルリソース調整手段の周波数スペクトル占有を調整することにより、周波数スペクトルリソース要求を有する周波数スペクトルリソース調整手段の周波数スペクトル需要を満たすように、周波数スペクトル調整ユニット１２２は、配置されている。
【００７４】
図６は図３に示すような周波数スペクトル調整ユニット１２２の他の具体的な実現方式を示す模式図である。
【００７５】
図６を参照するように、周波数スペクトル調整ユニット１２２は周波数スペクトル転送図生成モジュール１２２３及び周波数スペクトル調整モジュール１２２４を含む。
【００７６】
図６に示すように、周波数スペクトル転送図生成モジュール１２２３は、周波数スペクトル情報取得装置１１から取得された各々の周波数スペクトルリソース調整手段の利用可能周波数スペクトル情報及び占有周波数スペクトル情報に応じて、それぞれの頂点が、利用可能周波数スペクトルと占有周波数スペクトルとが同様な１つ又は複数の周波数スペクトルリソース調整手段からなる周波数スペクトルリソース多重化グループを表示し、２つの周波数スペクトルリソース多重化グループについて、第１周波数スペクトルリソース多重化グループの占有周波数スペクトルが第２周波数スペクトルリソース多重化グループの利用可能周波数スペクトルに属するとともに第２周波数スペクトルリソース多重化グループが第１周波数スペクトルリソース多重化グループの占有周波数スペクトルを占有することが相応なサービス需要を満たすことができる場合、第１周波数スペクトルリソース多重化グループを表示する頂点を尾頂点とし、第２周波数スペクトルリソース多重化グループを表示する頂点を頭頂点として１つの有向弧を設けて、当該有向弧に、第１の要素が第１周波数スペクトルリソース多重化グループの占有周波数スペクトルである重み値を付与するような方式で形成された周波数スペクトル転送図を、生成するように配置されている。
【００７７】
図７は本開示の実施例に応じた周波数スペクトル転送図の１例を示す。図７に示すように、当該周波数スペクトル転送図G３におけるそれぞれの頂点Vはこのような１組のセカンダリシステムを含む１つの周波数スペクトルリソース多重化グループを表示し、これらのセカンダリシステムは、プライマリシステム及びセカンダリシステムの外部制約条件と内部制約条件を満たす場合、その利用可能周波数スペクトルと占有周波数スペクトルとはいずれも同じである。任意の２つの頂点Va及びVbについて、Vaの現在占有している周波数スペクトルCHaがVbの利用可能周波数スペクトルに属し、且つVbがCHa及びその取得可能な最大パワーを使用することがVbのサービス需要を満足可能であれば、Vaを尾頂点としVbを頭頂点として１つの有向弧（directed arc）を設けてVa→Vbとして記載され、弧Va→Vbに、転送した周波数スペクトルCHaを代表する要素W（Va→Vb）を含む重み値を付与する。
【００７８】
図６に戻り、周波数スペクトル転送図生成モジュール１２２３が上記方式によって周波数スペクトル転送図を生成した後、各々の周波数スペクトルリソース調整手段の周波数スペクトルを調整することをトリガーする条件に応じて、周波数スペクトル調整モジュール１２２４は当該周波数スペクトル転送図に基づいて各々の周波数スペクトルリソース調整手段に対する周波数スペクトル調整を確定する。
【００７９】
具体的には、周波数スペクトル調整確定モジュール１２２４は、周波数スペクトル転送図において周波数スペクトルリソース要求を有する周波数スペクトルリソース調整手段と同じ周波数スペクトルリソースを使用可能な周波数スペクトルリソース多重化グループを開始ノードとし、前記開始ノードに指向し且つその重み値が当該周波数スペクトルリソース要求を有する周波数スペクトルリソース調整手段の利用可能周波数スペクトルである有向弧をエンド縁とする有向リングを取得するとともに、当該有向リングに基づいて各々の周波数スペクトルリソース調整手段の周波数スペクトル占有に対する調整を確定することにより、周波数スペクトルリソース要求を有する前記周波数スペクトルリソース調整手段が、当該開始ノードの対応する周波数スペクトルリソース多重化グループの周波数スペクトルリソースを多重化可能にするように、配置されている。
【００８０】
下記に、図８を用いて条件iiiでの周波数スペクトル調整モジュール１２２２が周波数スペクトル調整方案を確定する例を例示的に記述する。図８に示すように、プライマリユーザAは周波数スペクトルCH１を占有し、セカンダリシステムa、b、cの利用可能周波数スペクトルリストはいずれもCH１及びCH２を含み、且つそれらはそれぞれ周波数スペクトルCH２、CH１、CH２を占有しており、この場合、外部制約条件の制限で確定されたセカンダリシステムdの利用可能周波数スペクトルはCH２であるが、当該周波数スペクトルを使用してa及びcを干渉してしまうので(即ち、内部制約条件を満たしない)、dは周波数スペクトルリソースを取得することができない。この場合、その占有周波数スペクトルも利用可能周波数スペクトルも同じであるセカンダリシステムa及びcは周波数スペクトルリソース多重化グループ１を形成することができ、セカンダリシステムbは周波数スペクトルリソース多重化グループ２を形成し、内部制約条件及び利用可能周波数スペクトル情報に応じて、セカンダリシステムdがセカンダリシステムbとともに周波数スペクトルCH２を多重化可能することが発現されるため、周波数スペクトルリソース多重化グループ１と周波数スペクトルリソース多重化グループ２とがリソースを交換した後であれば（即ち、周波数スペクトルリソース多重化グループ１はCH１を占有し、周波数スペクトルリソース多重化グループ２はCH２を占有する）、セカンダリシステムdは周波数スペクトルCH２を取得することができる。
【００８１】
従って、周波数スペクトル調整モジュール１２２２は、周波数スペクトルリソース要求を有する前記周波数スペクトルリソース調整手段が当該開始ノードの対応する周波数スペクトルリソース多重化グループの周波数スペクトルリソースを多重化可能にするように、当該有向リングに基づいて各々の周波数スペクトルリソース調整手段の周波数スペクトル占有に対する調整を確定する。
【００８２】
本開示の他の好適な実施例によれば、再配置の回数を減少するために、前記有向経路又は有向リングを探す場合、含まれた弧の数が最少、又は含まれた弧の数が予め設定された数内にある (例えば、システムのために再配置し設定された周波数スペクトルリソース調整手段の数)有向経路又は有向リングを選択可能にし、当該有向経路又は有向リングに基づいて少なくとも部分の周波数スペクトルリソース調整手段に対する調整を確定する。
【００８３】
本開示の実施例に応じた周波数スペクトルリソース管理機器の周波数スペクトル調整装置が確定した周波数スペクトルリソース調整方案において、ただ複数の周波数スペクトルリソース調整手段における部分の周波数スペクトルリソース調整手段の周波数スペクトル占有を調整することに関する可能性があるので、リソース再構成を行う場合に全ての周波数スペクトルリソース調整手段に対しても周波数スペクトルリソース調整を行う必要がある従来技術と比べて、本開示に応じた周波数スペクトルリソース調整装置は、周波数スペクトルリソース調整の効率を向上可能にする。
【００８４】
図９は本開示の他の一実施例に応じた周波数スペクトルリソース管理機器を示す例示的構成図である。
【００８５】
図２の周波数スペクトルリソース管理機器１と同様に周波数スペクトル情報取得装置１１及び周波数スペクトル調整装置１２を含む以外に、図９に示すような周波数スペクトルリソース管理機器２は、前記周波数スペクトルリソース調整手段における各々のセカンダリユーザの周波数スペクトルを調整するように、周波数スペクトル調整装置１２が確定した周波数スペクトル調整に関する周波数スペクトル調整情報を前記セカンダリシステムのセカンダリ基地局に送信するための送信装置１３をさらに含む。
【００８６】
本開示の一実施例によれば、周波数スペクトル調整情報は、周波数スペクトル調整を行うことが確定された周波数スペクトルリソース調整手段のID情報、当該周波数スペクトルリソース調整手段が放出した周波数スペクトルリソース情報、及び当該周波数スペクトルリソース調整手段が占有しようとする周波数スペクトルリソース情報を含む。
【００８７】
第１実施例の周波数スペクトルリソース管理機器に対応して、本開示は、プライマリシステム及びセカンダリシステムを含む通信システムにおける複数の周波数スペクトルリソース調整手段の周波数スペクトルリソース占有を調整するための周波数スペクトルリソース管理方法をさらに提供する。
【００８８】
図１０は本開示の実施例に応じた周波数スペクトルリソース管理方法を示すフロー図である。
【００８９】
図１０に示すように、本開示の実施例に応じた周波数スペクトルリソース管理方法の処理フロー１０００はS１０１０から開始し、そしてS１０２０の処理を実行する。
【００９０】
S１０２０において、各々の周波数スペクトルリソース調整手段の、プライマリシステムに対する各々の周波数スペクトルリソース調整手段の干渉がプライマリシステムに許容される範囲内にある条件での各々の周波数スペクトルリソース調整手段の利用可能周波数スペクトルである利用可能周波数スペクトル情報と、既に各々の周波数スペクトルリソース調整手段に配分し占有された周波数スペクトルである占有周波数スペクトル情報と、を取得する。例えば、図２を参照して記述された周波数スペクトル情報取得装置１１の処理を実行することによって実現可能し、ここではその記述を省略する。そして、S１０３０を実行する。
【００９１】
S１０３０において、少なくとも、各々の周波数スペクトルリソース調整手段の前記利用可能周波数スペクトル情報及び前記占有周波数スペクトル情報に基づいて、前記各々の周波数スペクトルリソース調整手段における少なくとも部分の周波数スペクトルリソース調整手段に対する周波数スペクトル調整を確定する。例えば、例えば図２〜７を参照して記述された周波数スペクトル調整装置１２の処理を実行することによってS１０３０を実現可能し、ここではその記述を省略する。そして、S１０４０を実行する。
【００９２】
処理フロー１０００はS１０４０までで終了する。
【００９３】
本開示の実施例に応じた周波数スペクトルリソース調整方法において、周波数スペクトルリソース調整手段は、前記周波数スペクトルリソース管理機器の管理範囲内における１つ又は１組のセカンダリシステム機器に対応する。
【００９４】
本開示の好適な実施例によれば、周波数スペクトルリソース調整は、占有周波数スペクトル情報の時効期限内における、前記各々の周波数スペクトルリソース調整手段に対する周波数スペクトル調整を確定することに用いられる。
【００９５】
本開示の１つの好適な実施例によれば、S１０３０において、周波数スペクトルリソースの調整は、各々の周波数スペクトルリソース調整手段の利用可能周波数スペクトル情報及び占有周波数スペクトル情報に基づいて、２つの周波数スペクトルリソース調整手段それぞれの間の、前記２つの周波数スペクトルリソース調整手段における第１周波数スペクトルリソース調整手段の占有周波数スペクトルが第２周波数スペクトルリソース調整手段の利用可能周波数スペクトルに属するか否かを表す情報を含む周波数スペクトルリソース転送情報を確定することと、周波数スペクトルリソース転送情報に応じて前記少なくとも部分の周波数スペクトルリソース調整手段に対する周波数スペクトル調整を確定することと、をさらに含む。
【００９６】
本開示の実施例によれば、S１０２０において、周波数スペクトルリソース要求に関する情報、及びアイドルの周波数スペクトルリソースに関する情報をさらに取得する。
【００９７】
本開示の実施例によれば、S１０３０において、周波数スペクトル調整は、前記通信システムにおいて、アイドルの周波数スペクトルリソースが存在するとともに、周波数スペクトルリソース要求を有する周波数スペクトルリソース調整手段も存在する条件iと、少なくとも２つの周波数スペクトルリソース調整手段を含む評価対象について、周波数スペクトルリソースに対する周波数スペクトルリソース調整手段の占有がプライマリシステムの干渉の許容範囲を満たすことで算出された見込みスループットと現在のスループットとの差が予定閾値より大きい条件iiと、前記通信システムに存在する、周波数スペクトルリソース要求を有する周波数スペクトルリソース調整手段が予定時間帯内に周波数スペクトルリソースが得られなかった条件iiiと、のような条件の少なくとも１つを満たす場合、各々の周波数スペクトルリソース調整手段における少なくとも部分の周波数スペクトルリソース調整手段に対する周波数スペクトル調整の確定をトリガーすることをさらに含む。
【００９８】
本開示の実施例によれば、S１０３０において、周波数スペクトル調整は、前記周波数スペクトルリソース調整手段の間の周波数スペクトルリソース転送情報に応じて、アイドル周波数スペクトルリソースの対応する周波数スペクトルリソース調整手段から周波数スペクトルリソース要求を有する周波数スペクトルリソース調整手段までの周波数スペクトル転送方式を確定することにより、周波数スペクトル転送に係る周波数スペクトルリソース調整手段の周波数スペクトル占有を調整し、周波数スペクトルリソース要求を有する周波数スペクトルリソース調整手段の周波数スペクトル需要を満たすことをさらに含む。
【００９９】
本開示の実施例によれば、S１０２０において、利用可能リソース情報及び占有リソース情報を取得することは、既に周波数スペクトルリソースを占有した周波数スペクトルリソース調整手段からその放出された周波数スペクトルリソースに関する情報を受信するとともに、放出された周波数スペクトルリソースをアイドルの周波数スペクトルリソースとすることをさらに含む。
【０１００】
本開示の好適な実施例によれば、前記周波数スペクトルリソース転送情報は、２つの周波数スペクトルリソース調整手段における第２周波数スペクトルリソース調整手段が第１周波数スペクトルリソース調整手段の占有周波数スペクトルを占有した後に発生されたスループットと、現在占有している周波数スペクトルを占有した場合に発生されたスループットと、の差をさらに含む。
【０１０１】
本開示の実施例によれば、S１０３０において、周波数スペクトル調整はさらに前記周波数スペクトルリソース調整手段の間の周波数スペクトルリソース転送情報に基づいて、前記評価対象のスループットが周波数スペクトル調整された後に予め設けられた条件に達する周波数スペクトル転送方式を確定し、周波数スペクトル転送に係る周波数スペクトルリソース調整手段の周波数スペクトル占有を調整する。
【０１０２】
本開示の実施例によれば、S１０３０において、周波数スペクトル調整に対する確定は、それぞれの頂点が１つの周波数スペクトルリソース調整手段を表示し、当該第１周波数スペクトルリソース調整手段の占有周波数スペクトルが当該第２周波数スペクトルリソース調整手段の利用可能周波数スペクトルに属するとともに当該第２周波数スペクトルリソース調整手段が当該第１周波数スペクトルリソース調整手段の占有周波数スペクトルを占有することが相応なサービス需要を満たすことができる場合、当該第１周波数スペクトルリソース調整手段を表示する頂点を尾頂点とし、当該第２周波数スペクトルリソース調整手段を表示する頂点を頭頂点として１つの有向弧を設けて、当該有向弧に、第１の要素が前記第１周波数スペクトルリソース調整手段の占有周波数スペクトルである重み値を付与するような方式で形成された周波数スペクトル転送図を、各々の周波数スペクトルリソース調整手段の利用可能周波数スペクトル情報及び占有周波数スペクトル情報に応じて生成することと、当該周波数スペクトル転送図に基づいて、各々の周波数スペクトルリソース調整手段の周波数スペクトルを調整することをトリガーする条件に応じて、前記各々の周波数スペクトルリソース調整手段における少なくとも部分の周波数スペクトルリソース調整手段に対する周波数スペクトル調整を確定することと、をさらに含む。
【０１０３】
本開示の実施例によれば、S１０３０において、周波数スペクトル調整を確定することは、周波数スペクトル転送図が生成された後、前記周波数スペクトル転送図においてアイドル周波数スペクトルリソースの対応した周波数スペクトルリソース調整手段を源頂点とし、周波数スペクトルリソース要求を有する周波数スペクトルリソース調整手段を目標頂点とする有向経路を取得するとともに、当該有向経路に基づいてアイドル周波数スペクトルリソースの対応した周波数スペクトルリソース調整手段から周波数スペクトルリソース要求を有する周波数スペクトルリソース調整手段までの周波数スペクトル転送方式を確定することをさらに含む。
【０１０４】
さらに、本開示の実施例によれば、S１０３０において、周波数スペクトル転送図の生成は、第２周波数スペクトルリソース調整手段が第１周波数スペクトルリソース調整手段の占有周波数スペクトルを占有した後に発生されたスループットと、現在占有している周波数スペクトルを占有した場合に発生されたスループットとの差である第２の要素を、当該有向弧の重み値に付与することと、前記周波数スペクトル転送図において前記重み値の第２の値の和を最大にさせる有向リングを取得するとともに、当該有向リングに基づいて各々の周波数スペクトルリソース調整手段の周波数スペクトル占有に対する調整を確定することと、をさらに含む。
【０１０５】
本開示の実施例によれば、S１０３０において、周波数スペクトル調整に対する確定は、前記周波数スペクトルリソース調整手段の間の周波数スペクトルリソース転送情報に応じて、周波数スペクトルリソース要求を有する周波数スペクトルリソース調整手段が周波数スペクトルリソースを多重化する周波数スペクトル転送方式を確定して周波数スペクトル転送に係る周波数スペクトルリソース調整手段の周波数スペクトル占有を調整し、周波数スペクトルリソース要求を有する周波数スペクトルリソース調整手段の周波数スペクトル需要を満たすことに用いられる。
【０１０６】
本開示の１つの好適な実施例によれば、S１０３０において、周波数スペクトル調整に対する確定は、それぞれの頂点が、利用可能周波数スペクトルと占有周波数スペクトルとが同様な１つ又は複数の周波数スペクトルリソース調整手段からなる周波数スペクトルリソース多重化グループを表示し、２つの周波数スペクトルリソース多重化グループについて、第１周波数スペクトルリソース多重化グループの占有周波数スペクトルが第２周波数スペクトルリソース多重化グループの利用可能周波数スペクトルに属するとともに第２周波数スペクトルリソース多重化グループが第１周波数スペクトルリソース多重化グループの占有周波数スペクトルを占有することが相応なサービス需要を満たすことができる場合、第１周波数スペクトルリソース多重化グループを表示する頂点を尾頂点とし、前記第２周波数スペクトルリソース多重化グループを表示する頂点を頭頂点として１つの有向弧を設けて、当該有向弧に、第１の要素が前記第１周波数スペクトルリソース多重化グループの占有周波数スペクトルである重み値を付与するような方式で形成された周波数スペクトル転送図を、各々の周波数スペクトルリソース調整手段の前記利用可能周波数スペクトル情報及び前記占有周波数スペクトル情報に応じて生成することと、当該周波数スペクトル転送図に基づいて、各々の周波数スペクトルリソース調整手段の周波数スペクトルを調整することをトリガーする条件に応じて、前記各々の周波数スペクトルリソース調整手段における少なくとも部分の周波数スペクトルリソース調整手段に対する周波数スペクトル調整を確定することと、をさらにを含む。
【０１０７】
本開示の１つの好適な実施例によれば、S１０３０において、周波数スペクトル調整を確定することは、周波数スペクトル転送図において周波数スペクトルリソース要求を有する周波数スペクトルリソース調整手段と同じ周波数スペクトルリソースを使用可能な周波数スペクトルリソース多重化グループを源頂点とし、前記源頂点に指向し且つその重み値が周波数スペクトルリソース要求を有する当該周波数スペクトルリソース調整手段の利用可能周波数スペクトルである有向弧をエンド縁とする有向リングを取得するとともに、当該有向リングに基づいて各々の周波数スペクトルリソース調整手段の周波数スペクトル占有に対する調整を確定し、周波数スペクトルリソース要求を有する前記周波数スペクトルリソース調整手段が、当該開始ノードの対応した周波数スペクトルリソース多重化グループの周波数スペクトルリソースを多重化可能にすることを、さらに含む。
【０１０８】
本開示の好適な実施例によれば、S１０３０により各々の周波数スペクトルリソース調整手段における少なくとも部分の周波数スペクトルリソース調整手段に対する周波数スペクトル調整が確定された後、周波数スペクトルリソース調整手段における各々のセカンダリユーザの周波数スペクトルを調整するように、前記周波数スペクトル調整装置が確定された周波数スペクトル調整に関する周波数スペクトル調整情報を前記セカンダリシステムのセカンダリ基地局に送信する。
【０１０９】
本開示の一実施例によれば、周波数スペクトル調整情報は、周波数スペクトル調整を行うことが確定された周波数スペクトルリソース調整手段のID情報、当該周波数スペクトルリソース調整手段が放出した周波数スペクトルリソース情報、及び当該周波数スペクトルリソース調整手段が占有しようとする周波数スペクトルリソース情報を含む。
【０１１０】
本開示の実施例によれば、周波数スペクトル調整を行うことが確定された周波数スペクトルリソース調整手段のID情報、当該周波数スペクトルリソース調整手段が放出した周波数スペクトルリソース情報、及び当該周波数スペクトルリソース調整手段が占有しようとする周波数スペクトルリソース情報を含む周波数スペクトル調整情報を受信するためのシステム機器をさらに提供し、前記周波数スペクトル調整情報は、各々の周波数スペクトルリソース調整手段の周波数スペクトル占有を調整することに用いられる。
【０１１１】
セカンダリシステム機器は、例えば、図８を参照して記述された前記周波数スペクトルリソース管理機器から当該周波数スペクトル調整情報を受信するとともに、当該周波数スペクトル調整情報に応じてセカンダリシステム機器が位置するセカンダリシステムにおける各々のセカンダリユーザの周波数スペクトル占有を調整することができる。
【０１１２】
セカンダリシステム機器はセカンダリ基地局であってもよいし、セカンダリユーザであってもよい。本開示の実施例に応じたセカンダリシステムは、例えば図１に示すセカンダリシステムa、b、cに含まれたセカンダリ基地局である。
【０１１３】
本開示の実施例によれば、プライマリシステム及びセカンダリシステムを含む通信システムにおける複数の周波数スペクトルリソース調整手段の周波数スペクトルリソース占有に対して調整を行うための周波数スペクトルリソース管理システムをさらに提供する。
【０１１４】
図１１は本開示の実施例に応じた周波数スペクトルリソース管理システムを示す模式的な構成ブロック図である。
【０１１５】
図１１に示すように、周波数スペクトルリソース管理システム２００は地理位置データベース２０１、周波数スペクトルリソース管理機器２０２、及びセカンダリシステム２０３を含む。
【０１１６】
地理位置データベース２０１は、周波数スペクトルリソース調整要求に応じて各々の周波数スペクトルリソース調整手段の利用可能周波数スペクトル情報を提供するように配置されている。本開示の一実施例によれば、地理位置データベースは、例えば地理位置に基づく機能を提供し、例えばそれぞれの位置点に関する利用可能周波数スペクトル情報を提供するとともに、周波数スペクトルリソース調整利用可能に応じて例えばデータベースに記憶された地理位置データベースの各種の情報（例えば各位置の利用可能周波数スペクトル情報）を周波数スペクトルリソース管理機器２０２に提供する。
【０１１７】
周波数スペクトルリソース管理機器２０２は、各々の周波数スペクトルリソース調整手段の周波数スペクトルリソース占有に対する調整を確定するように配置され、当該周波数スペクトルリソース管理機器は、前記地理位置データベースから当該周波数スペクトルリソース管理機器が管理した各々の周波数スペクトルリソース調整手段の、プライマリシステムに対する各々の周波数スペクトルリソース調整手段の干渉がプライマリシステムに許容される範囲内にある条件での各々の周波数スペクトルリソース調整手段の利用可能周波数スペクトル関連情報に対応する利用可能周波数スペクトル情報を取得するとともに、前記セカンダリシステムから前記各々の周波数スペクトルリソース調整手段の、既に各々の周波数スペクトルリソース調整手段に配分し占有された占有周波数スペクトル関連情報に対応する占有周波数スペクトル情報を取得するための周波数スペクトル情報取得装置と、少なくとも、各々の周波数スペクトルリソース調整手段の前記利用可能周波数スペクトル情報及び前記占有周波数スペクトル情報に基づいて、前記各々の周波数スペクトルリソース調整手段における少なくとも部分の周波数スペクトルリソース調整手段の周波数スペクトル占有に対する調整を確定するための周波数スペクトル調整装置と、を含む。本開示の実施例によれば、周波数スペクトルリソース管理機器２０２は、例えば図２〜７を参照して記述された周波数スペクトルリソース管理機器１に対応する。本開示の実施例によれば、周波数スペクトルリソース管理機器２０２は、前記少なくとも部分の周波数スペクトルリソース調整手段の周波数スペクトル占有の調整に関する周波数スペクトル調整情報を送信するようにさらに配置されている。
【０１１８】
セカンダリシステム２０３はセカンダリ基地局及びセカンダリユーザを含み、前記周波数スペクトルリソース管理機器が送信した周波数スペクトル調整情報を受信するとともに、当該周波数スペクトル調整情報を利用して前記少なくとも部分の周波数スペクトルリソース調整手段の周波数スペクトル占有を調整するように配置されている。
【０１１９】
本開示の一実施例によれば、セカンダリシステム２０３は、通信システムにアイドル周波数スペクトルリソースを有する周波数スペクトルリソース調整手段が存在すると同時に、周波数スペクトルリソース要求を有する周波数スペクトルリソース調整手段が存在する場合、又は前記セカンダリシステムに周波数スペクトルリソース要求を有する周波数スペクトルリソース調整手段が予定時間帯内に周波数スペクトルリソースを取得しなかったことが存在する場合、周波数スペクトルリソース調整要求を送信するように、さらに配置されている。
【０１２０】
本開示の他の一実施例によれば、周波数スペクトルリソース管理機器２０２は、少なくとも２つの周波数スペクトルリソース調整手段を含む評価対象のスループットを評価するとともに、周波数スペクトルリソース調整手段の周波数スペクトルリソースに対する占有がプライマリシステムの干渉の許容範囲を満たすことで算出された見込みスループットと現在のスループットとの差を、予定閾値より大きくさせる場合、前記周波数スペクトルリソース調整要求を送信するように、さらに配置されている。
【０１２１】
図１２は図１１に示すような周波数スペクトルリソース管理システムの模式的なシステム構成参照モデルを示す。
【０１２２】
図１２に示すように、地理位置データベース２０１は、地理位置機能モジュール、データベース、通信機能モジュール及びインタフェースモジュールを含む。地理位置機能モジュールは地理位置に基づく機能を提供し、例えばそれぞれの位置点に関する利用可能周波数スペクトルを提供する。データベースはGLDBの各種情報、例えば各位置の利用可能周波数スペクトルリストを記憶するためのものである。通信機能モジュールは、GLDBと他の機能実体との情報インタラクションを実現するためのものである。インタフェースモジュールは外部実体から受信されたシグナリング及びGLDB内部で発生されたデータに対して転送管理を行い、算出された各中間データ及び最終データを目標機能モジュールまで、アドレッシングする。上記各モジュールの間は、サービスインタフェースによって情報交換を行う。
【０１２３】
周波数スペクトルリソース管理装置２０２は周波数スペクトルリソース管理モジュール、通信機能モジュール及びインタフェースモジュールを含む。周波数スペクトルリソース管理モジュールはセカンダリシステムの周波数スペクトル管理の機能、例えばシステム性能を評価すること、周波数スペクトル再構成を発起すること、及び周波数スペクトル再構成方案を決定すること等を提供する。通信機能モジュールは、セカンダリシステム周波数スペクトル管理装置と他の機能実体との情報インタラクションを実現するためのものである。インタフェース機能は外部実体から受信されたシグナリング及びセカンダリシステム周波数スペクトル管理装置内部で発生されたデータに対して転送管理を行い、算出された各中間データ及び最終データを目標機能モジュールまで、アドレッシングする。
【０１２４】
セカンダリシステム２０３はセカンダリシステム管理モジュール、通信機能モジュール及びインタフェースモジュールを含む。セカンダリシステム管理モジュールはセカンダリシステム管理機能、例えばセカンダリユーザの利用可能周波数スペクトルリストを要求すること、周波数スペクトル再構成を発起すること、周波数スペクトル再構成の結果を受信すること、セカンダリシステムの再配置を行うこと等を提供する。通信機能モジュールは、セカンダリシステムと他の機能実体との情報インタラクションを実現するためのものである。インタフェース機能は外部実体から受信されたシグナリング及びセカンダリシステム内部で発生されたデータに対して転送管理を行い、算出された各中間データ及び最終データを目標機能モジュールまで、アドレッシングを選択する。
【０１２５】
図１３は本開示の実施例に応じた、図１１に示すような周波数スペクトルリソース管理システムに用いられるシステム管理方法を示し、プライマリシステム及びセカンダリシステムを含む通信システムにおける周波数スペクトルリソース調整手段の周波数スペクトルリソース占有を調整することに用いられる。
【０１２６】
図１３に示すように、本開示の実施例に応じた周波数スペクトルリソース管理方法の処理フロー１３００はS１３１０から開始し、そしてS１３２０の処理を実行する。
【０１２７】
S１３２０において、セカンダリシステム又は周波数スペクトルリソース管理機器によって周波数スペクトルリソース調整要求を送信する。具体的には、上記記述された条件i及びiiiでは、例えばセカンダリシステムによって周波数スペクトルリソース調整要求を発起し、上記記述された条件iiでは、例えば周波数スペクトルリソース管理機器によって周波数スペクトルリソース調整要求を発起する。
【０１２８】
S１３３０において、周波数スペクトルリソース管理機器によって、地理位置データベースから受信した周波数スペクトルリソース調整手段の利用可能周波数スペクトル情報、及び各々の周波数スペクトルリソース調整手段の使用周波数スペクトル情報に応じて各々の周波数スペクトルリソース調整手段の周波数スペクトル占有を調整することを確定する。例えば、例えば図１１を参照して記述された周波数スペクトルリソース管理機器２０２の処理を実行することによって実現可能し、ここではその記述を省略する。そして、S１３４０を実行する。
【０１２９】
S１３４０において、セカンダリシステムは、例えば周波数スペクトルリソース管理機器が送信した周波数スペクトル調整情報を受信するとともに、当該周波数スペクトル調整情報を利用して少なくとも部分の周波数スペクトルリソース調整手段の周波数スペクトル占有を調整する。例えば、例えば図１１を参照して記述された周波数スペクトルリソース管理機器２０２の処理を実行することによって実現可能にし、ここではその記述を省略する。そして、S１３５０を実行する。
【０１３０】
処理フロー１３００はS１３５０までで終了する。
【０１３１】
上記において、周波数スペクトルリソース管理機器が、地理位置データベース及びセカンダリシステムとは別のように設置されたが、本開示はこれに限定されず、例えば、当該周波数スペクトルリソース管理装置と地理位置データベースとを組み合わせてもよいし、又は周波数スペクトルリソース管理装置をセカンダリシステム（例えば、セカンダリ基地局又はセカンダリユーザ）に設置してもよいし、この場合、複数のセカンダリシステムに設置された周波数スペクトルリソース管理装置は、分布制御によってセカンダリシステムリソースに対する管理を実現可能にする。
【０１３２】
従来技術と比較するなら、本開示の実施例に応じた周波数スペクトルリソース管理機器、方法、システム及びセカンダリシステム機器は、少なくとも以下の有益効果の１つを有する。即ち、周波数スペクトルリソースの転送によって、少なくともネットワーク状態の変化に従ってセカンダリシステムにより多い周波数スペクトルリソースを提供可能することにより、周波数スペクトルリソースの利用効率を向上可能なことと、周波数スペクトルリソースの調整をする場合、全ての周波数スペクトルリソース調整手段の占有周波数スペクトルを調整する必要がないので、周波数スペクトルリソースの調整効率を向上可能なことと、である。
【０１３３】
上記装置における各々の組成モジュール、ユニットは、ソフトウエア、ファームウェア、ハードウエア、又はそれらの組み合わせの方式によって配置されることができる。配置することに使用可能な具体的な手段又は方式は当業者にとって周知であり、ここでは、余計なことをさらに述べない。ソフトウエア又はファームウェアによって実現する場合、記憶媒体又はネットワークから専用なハードウエア構成を有するコンピュータに、当該ソフトウエアを構成するプログラムをセットアップし、当該コンピュータは、各種プログラムをセットアップする場合、各種機能等を実行可能にする。
【０１３４】
ソフトウエアによって前記一連の処理を実現する場合、ネットワーク例えばインターネット、又は記憶媒体例えば着脱可能な媒体から、ソフトウエアを構成するプログラムをセットアップする。
【０１３５】
当業者にとって理解されるように、前記記憶媒体は、その中にプログラムが記憶され、ユーザにプログラムを提供するように機器とは分離されて配布する着脱可能な媒体に限定されていない。着脱可能な媒体の例は、磁気ディスク(フロッピ-ディスク(登録商標)を含む)、光ディスク(シーディーロム(CD-ROM)及びディジタルビデオディスク(DVD)を含む)、光磁気ディスク（ミニディスク(MD)(登録商標) を含む)及び半導体記憶装置を含む。或いは、記憶媒体はROM、記憶部分に含まれたハードディスク等であってもよく、その中にプログラムが記憶され、それらを含む機器とともにユーザに配布される。
【０１３６】
本開示は、機械可読な指令コードが記憶されているプログラム製品をさらに提出している。前記指令コードが機械によって読み込まれて実行する場合、前記の本開示の実施例に応じた方法を実行可能する。
【０１３７】
それに応じて、前記の機械可読な指令コードが記憶されているプログラム製品を格納するための記憶媒体も、本開示の開示に含まれている。前記記憶媒体はフロッピーディスク（登録商標）、光ディスク、光磁気ディスク、メモリカード、メモリースティック等を含むが、それに限定されていない。
【０１３８】
なお、本技術は以下のように配置されてもいい。
（１）プライマリシステム及びセカンダリシステムを含む通信システムにおける複数の周波数スペクトルリソース調整手段の周波数スペクトルリソース占有を調整するための周波数スペクトルリソース管理機器であって、
前記周波数スペクトルリソース管理機器は、
当該周波数スペクトルリソース管理機器が管理した各々の周波数スペクトルリソース調整手段の、プライマリシステムに対する各々の周波数スペクトルリソース調整手段の干渉がプライマリシステムに許容される範囲内にある条件での各々の周波数スペクトルリソース調整手段の利用可能周波数スペクトル関連情報に対応する利用可能周波数スペクトル情報と、既に各々の周波数スペクトルリソース調整手段に配分し占有された占有周波数スペクトル関連情報に対応する占有周波数スペクトル情報と、を取得するための周波数スペクトル情報取得装置と、
少なくとも、各々の周波数スペクトルリソース調整手段の前記利用可能周波数スペクトル情報及び前記占有周波数スペクトル情報に基づいて、前記各々の周波数スペクトルリソース調整手段における少なくとも部分の周波数スペクトルリソース調整手段に対する周波数スペクトル調整を確定するための周波数スペクトル調整装置と、を含む。
（２）前記周波数スペクトル調整装置は、前記占有周波数スペクトル情報の時効期限内における、前記各々の周波数スペクトルリソース調整手段に対する周波数スペクトル調整を確定することに用いられる（１）に記載の周波数スペクトルリソース管理機器。
（３）前記周波数スペクトル調整装置は、
各々の周波数スペクトルリソース調整手段の前記利用可能周波数スペクトル情報及び前記占有周波数スペクトル情報に基づいて、２つの前記周波数スペクトルリソース調整手段それぞれの間の、前記２つの周波数スペクトルリソース調整手段における第１周波数スペクトルリソース調整手段の占有周波数スペクトルが第２周波数スペクトルリソース調整手段の利用可能周波数スペクトルに属するか否かを表明する情報を含む周波数スペクトルリソース転送情報を確定するための周波数スペクトルリソース転送情報取得ユニットと、
前記周波数スペクトルリソース転送情報に応じて前記少なくとも部分の周波数スペクトルリソース調整手段に対する周波数スペクトル調整を確定するための周波数スペクトル調整ユニットと、を含む（１）又は（２）に記載の周波数スペクトルリソース管理機器。
（４）前記周波数スペクトルリソース調整手段は、前記周波数スペクトルリソース管理機器の管理範囲内における１つ、又は１組のセカンダリシステム機器に対応する（１）から（３）の何れか一項に記載の周波数スペクトルリソース管理機器。
（５）前記周波数スペクトル情報取得装置は、周波数スペクトルリソース要求に関する情報及びアイドルの周波数スペクトルリソースに関する情報を取得するように、さらに配置されている（３）に記載の周波数スペクトルリソース管理機器。
（６）前記周波数スペクトル調整装置は、
前記通信システムにおいて、アイドルの周波数スペクトルリソースが存在するとともに、周波数スペクトルリソース要求を有する周波数スペクトルリソース調整手段も存在する条件iと、
少なくとも２つの周波数スペクトルリソース調整手段を含む評価対象について、周波数スペクトルリソースに対する周波数スペクトルリソース調整手段の占有がプライマリシステムの干渉の許容範囲を満たすことで算出された見込みスループットと現在のスループットとの差が予定閾値より大きい条件iiと、
前記通信システムに存在する、周波数スペクトルリソース要求を有する周波数スペクトルリソース調整手段が予定時間帯内に周波数スペクトルリソースが得られなかった条件iiiと、のような条件の少なくとも１つを満たす場合、当該周波数スペクトルリソース管理機器が管理した各々の周波数スペクトルリソース調整手段における少なくとも部分の周波数スペクトルリソース調整手段に対する周波数スペクトル調整の確定をトリガーするように、配置されている（５）に記載の周波数スペクトルリソース管理機器。
（７）前記周波数スペクトル調整ユニットは、前記周波数スペクトルリソース調整手段の間の周波数スペクトルリソース転送情報に応じて、アイドル周波数スペクトルリソースの対応する周波数スペクトルリソース調整手段から周波数スペクトルリソース要求を有する周波数スペクトルリソース調整手段までの周波数スペクトル転送方式を確定することにより、周波数スペクトル転送に係る周波数スペクトルリソース調整手段の周波数スペクトル占有を調整することで、周波数スペクトルリソース要求を有する周波数スペクトルリソース調整手段の周波数スペクトル需要を満たすように、配置されている（６）に記載の周波数スペクトルリソース管理機器。
（８）前記周波数スペクトル情報取得装置は、既に周波数スペクトルリソースを占有した周波数スペクトルリソース調整手段からその放出された周波数スペクトルリソースに関する情報を受信するとともに、放出された周波数スペクトルリソースをアイドルの周波数スペクトルリソースとするように、さらに配置されている（６）又は（７）に記載の周波数スペクトルリソース管理機器。
（９）前記周波数スペクトルリソース転送情報は、前記２つの周波数スペクトルリソース調整手段における前記第２周波数スペクトルリソース調整手段が前記第１周波数スペクトルリソース調整手段の占有周波数スペクトルを占有した後に発生されたスループットと、現在占有している周波数スペクトルを占有した場合に発生されたスループットと、の差をさらに含む（６）に記載の周波数スペクトルリソース管理機器。
（１０）前記周波数スペクトル調整ユニットは、前記周波数スペクトルリソース調整手段の間の周波数スペクトルリソース転送情報に基づいて、前記評価対象のスループットが周波数スペクトル調整された後に予め設けられた条件に達する周波数スペクトル転送方式を確定し、周波数スペクトル転送に係る周波数スペクトルリソース調整手段の周波数スペクトル占有を調整するように、配置されている（９）に記載の周波数スペクトルリソース管理機器。
（１１）前記周波数スペクトル調整ユニットは、
それぞれの頂点が１つの周波数スペクトルリソース調整手段を表示し、前記第１周波数スペクトルリソース調整手段の占有周波数スペクトルが前記第２周波数スペクトルリソース調整手段の利用可能周波数スペクトルに属するとともに、前記第２周波数スペクトルリソース調整手段が前記第１周波数スペクトルリソース調整手段の占有周波数スペクトルを占有することが相応なサービス需要を満たすことができる場合、前記第１周波数スペクトルリソース調整手段を表示する頂点を尾頂点とし、前記第２周波数スペクトルリソース調整手段を表示する頂点を頭頂点として１つの有向弧を設けて、当該有向弧に、第１の要素が前記第１周波数スペクトルリソース調整手段の占有周波数スペクトルである重み値を付与するような方式で形成された周波数スペクトル転送図を、各々の周波数スペクトルリソース調整手段の前記利用可能周波数スペクトル情報及び前記占有周波数スペクトル情報に応じて生成するための周波数スペクトル転送図生成モジュールと、
前記周波数スペクトル転送図生成モジュールにより生成された周波数スペクトル転送図に基づいて、各々の周波数スペクトルリソース調整手段の周波数スペクトルを調整することをトリガーする条件に応じて、前記各々の周波数スペクトルリソース調整手段における少なくとも部分の周波数スペクトルリソース調整手段に対する周波数スペクトル調整を確定する周波数スペクトル調整モジュールと、を含む（７）又は（１０）に記載の周波数スペクトルリソース管理機器。
（１２）前記周波数スペクトル調整モジュールは、前記周波数スペクトル転送図においてアイドル周波数スペクトルリソースの対応した周波数スペクトルリソース調整手段を源頂点、周波数スペクトルリソース要求を有する周波数スペクトルリソース調整手段を目標頂点とする有向経路を取得するとともに、当該有向経路に基づいてアイドル周波数スペクトルリソースの対応した周波数スペクトルリソース調整手段から周波数スペクトルリソース要求を有する周波数スペクトルリソース調整手段までの周波数スペクトル転送方式を確定するように、配置されている（１１）に記載の周波数スペクトルリソース管理機器。
（１３）前記周波数スペクトル転送図生成モジュールは、前記第２周波数スペクトルリソース調整手段が前記第１周波数スペクトルリソース調整手段の占有周波数スペクトルを占有した後に発生されたスループットと、現在占有している周波数スペクトルを占有した場合に発生されたスループットとの差である第２の要素を、当該有向弧の重み値に付与するように、さらに配置され、
前記周波数スペクトル調整モジュールは、前記周波数スペクトル転送図において前記重み値の第２の値の和を最大にさせる有向リングを取得するとともに、当該有向リングに基づいて各々の周波数スペクトルリソース調整手段の周波数スペクトル占有に対する調整を確定するように、配置されている（１１）に記載の周波数スペクトルリソース管理機器。
（１４）前記周波数スペクトル調整ユニットは、前記周波数スペクトルリソース調整手段の間の周波数スペクトルリソース転送情報に応じて、周波数スペクトルリソース要求を有する周波数スペクトルリソース調整手段が周波数スペクトルリソースを多重化する周波数スペクトル転送方式を確定して周波数スペクトル転送に係る周波数スペクトルリソース調整手段の周波数スペクトル占有を調整することで、周波数スペクトルリソース要求を有する周波数スペクトルリソース調整手段の周波数スペクトル需要を満たすように、配置されている（６）に記載の周波数スペクトルリソース管理機器。
（１５）前記周波数スペクトル調整ユニットは、
それぞれの頂点が、利用可能周波数スペクトルと占有周波数スペクトルとが同様な１つ又は複数の周波数スペクトルリソース調整手段からなる周波数スペクトルリソース多重化グループを表示し、２つの周波数スペクトルリソース多重化グループについて、第１周波数スペクトルリソース多重化グループの占有周波数スペクトルが第２周波数スペクトルリソース多重化グループの利用可能周波数スペクトルに属するとともに、前記第２周波数スペクトルリソース多重化グループが前記第１周波数スペクトルリソース多重化グループの占有周波数スペクトルを占有することが相応なサービス需要を満たすことができる場合、前記第１周波数スペクトルリソース多重化グループを表示する頂点を尾頂点とし、前記第２周波数スペクトルリソース多重化グループを表示する頂点を頭頂点として１つの有向弧を設けて、当該有向弧に、第１の要素が前記第１周波数スペクトルリソース多重化グループの占有周波数スペクトルである重み値を付与するような方式で形成された周波数スペクトル転送図を、各々の周波数スペクトルリソース調整手段の前記利用可能周波数スペクトル情報及び前記占有周波数スペクトル情報に応じて生成する周波数スペクトル転送図生成モジュールと、
前記周波数スペクトル転送図生成モジュールにより生成された周波数スペクトル転送図に基づいて、各々の周波数スペクトルリソース調整手段の周波数スペクトルを調整することをトリガーする条件に応じて、前記各々の周波数スペクトルリソース調整手段における少なくとも部分の周波数スペクトルリソース調整手段に対する周波数スペクトル調整を確定する周波数スペクトル調整モジュールと、を含む（１４）に記載の周波数スペクトルリソース管理機器。
（１６）前記周波数スペクトル調整モジュールは、前記周波数スペクトル転送図において周波数スペクトルリソース要求を有する周波数スペクトルリソース調整手段と同じ周波数スペクトルリソースを使用可能な周波数スペクトルリソース多重化グループを源頂点とし、前記源頂点に指向し且つその重み値が当該周波数スペクトルリソース要求を有する周波数スペクトルリソース調整手段の利用可能周波数スペクトルである有向弧をエンド縁とする有向リングを取得するとともに、当該有向リングに基づいて各々の周波数スペクトルリソース調整手段の周波数スペクトル占有に対する調整を確定することにより、周波数スペクトルリソース要求を有する前記周波数スペクトルリソース調整手段が、当該源頂点に対応する周波数スペクトルリソース多重化グループの周波数スペクトルリソースを多重化可能なように、配置されている（１５）記載の周波数スペクトルリソース管理機器。
（１７）前記周波数スペクトルリソース管理機器は、前記周波数スペクトルリソース調整手段における各々のセカンダリユーザの周波数スペクトルを調整するように、前記周波数スペクトル調整装置が確定した周波数スペクトル調整に関する周波数スペクトル調整情報を前記セカンダリシステムのセカンダリ基地局に送信するための送信装置を、さらに含む（１）から（１６）の何れか一項に記載の周波数スペクトルリソース管理機器。
（１８）前記周波数スペクトル調整情報は、周波数スペクトル調整を行うことが確定された周波数スペクトルリソース調整手段のID情報、当該周波数スペクトルリソース調整手段が放出した周波数スペクトルリソース情報、及び当該周波数スペクトルリソース調整手段が占有しようとする周波数スペクトルリソース情報を含む（１７）に記載の周波数スペクトルリソース管理機器。
（１９）周波数スペクトル調整を行うことが確定された周波数スペクトルリソース調整手段のID情報、当該周波数スペクトルリソース調整手段が放出した周波数スペクトルリソース情報、及び当該周波数スペクトルリソース調整手段が占有しようとする周波数スペクトルリソース情報を含む周波数スペクトル調整情報を受信するためのセカンダリシステム機器であって、
前記周波数スペクトル調整情報は、各々の周波数スペクトルリソース調整手段の周波数スペクトル占有を調整することに用いられる。
（２０）プライマリシステム及びセカンダリシステムを含む通信システムにおける複数の周波数スペクトルリソース調整手段の周波数スペクトルリソース占有を調整するための周波数スペクトルリソース管理方法であって、
前記周波数スペクトルリソース管理方法は、
各々の周波数スペクトルリソース調整手段の、プライマリシステムに対する各々の周波数スペクトルリソース調整手段の干渉がプライマリシステムに許容される範囲内にある条件での各々の周波数スペクトルリソース調整手段の利用可能周波数スペクトル関連情報に対応する利用可能周波数スペクトル情報と、既に各々の周波数スペクトルリソース調整手段に配分し占有された占有周波数スペクトル関連情報に対応する占有周波数スペクトル情報と、を取得することと、
少なくとも、各々の周波数スペクトルリソース調整手段の前記利用可能周波数スペクトル情報及び前記占有周波数スペクトル情報に基づいて、前記各々の周波数スペクトルリソース調整手段における少なくとも部分の周波数スペクトルリソース調整手段に対する周波数スペクトル調整を確定することと、を含む。
（２１）プライマリシステム及びセカンダリシステムを含む通信システムにおける複数の周波数スペクトルリソース調整手段の周波数スペクトルリソース占有を調整するための、セカンダリシステム、地理位置データベース、及び周波数スペクトルリソース管理機器を含む周波数スペクトルリソース管理システムであって、
前記地理位置データベースは、周波数スペクトルリソース調整要求に応じて各々の周波数スペクトルリソース調整手段の利用可能周波数スペクトル情報を提供するように配置され、
前記周波数スペクトルリソース管理機器は、各々の周波数スペクトルリソース調整手段の周波数スペクトルリソース占有に対する調整を確定するように配置され、前記周波数スペクトルリソース管理機器は、
前記地理位置データベースから当該周波数スペクトルリソース管理機器が管理した各々の周波数スペクトルリソース調整手段の、プライマリシステムに対する各々の周波数スペクトルリソース調整手段の干渉がプライマリシステムに許容される範囲内にある条件での各々の周波数スペクトルリソース調整手段の利用可能周波数スペクトル関連情報に対応する利用可能周波数スペクトル情報を取得するとともに、前記セカンダリシステムから前記各々の周波数スペクトルリソース調整手段の、既に各々の周波数スペクトルリソース調整手段に配分し占有された占有周波数スペクトル関連情報に対応する占有周波数スペクトル情報を取得するための周波数スペクトル情報取得装置と、
少なくとも、各々の周波数スペクトルリソース調整手段の前記利用可能周波数スペクトル情報及び前記占有周波数スペクトル情報に基づいて、前記各々の周波数スペクトルリソース調整手段における少なくとも部分の周波数スペクトルリソース調整手段の周波数スペクトル占有に対する調整を確定するための周波数スペクトル調整装置と、を含み、
前記周波数スペクトルリソース管理機器は、前記少なくとも部分の周波数スペクトルリソース調整手段の周波数スペクトル占有の調整に関する周波数スペクトル調整情報を送信するようにさらに配置され、
前記セカンダリシステムは、前記周波数スペクトルリソース管理機器が送信した周波数スペクトル調整情報を受信するとともに、当該周波数スペクトル調整情報を利用して前記少なくとも部分の周波数スペクトルリソース調整手段の周波数スペクトル占有を調整するように配置されている。
（２２）前記セカンダリシステムは、通信システムにアイドル周波数スペクトルリソースを有する周波数スペクトルリソース調整手段が存在すると同時に、周波数スペクトルリソース要求を有する周波数スペクトルリソース調整手段が存在する場合、又は前記セカンダリシステムに周波数スペクトルリソース要求を有する周波数スペクトルリソース調整手段が予定時間帯内に周波数スペクトルリソースを取得しなかったことが存在する場合、前記周波数スペクトルリソース調整要求を送信するように、さらに配置されている（２１）に記載の周波数スペクトルリソース管理システム。
（２３）前記周波数スペクトルリソース管理機器は、少なくとも２つの周波数スペクトルリソース調整手段を含む評価対象のスループットを評価するとともに、周波数スペクトルリソースに対する周波数スペクトルリソース調整手段の占有がプライマリシステムの干渉の許容範囲を満たすことで算出された見込みスループットと現在のスループットとの差を、予定閾値より大きくさせる場合、前記周波数スペクトルリソース調整要求を送信するように、さらに配置されている（２１）に記載の周波数スペクトルリソース管理システム。
【０１３９】
最後に、さらに説明する必要があることは、本開示において、例えば左と右、第１と第２などのような関係用語は、ただ１つの実体又は操作と、もう１つの実体又は操作と、を区分するためのものであり、これらの実体又は操作の間に何れのこのような実際の関係又は順序が存在することを、必ずしも要求又は暗示するとは限らない。それに、用語である「含む」、「含み」、又はその何れの他の変体は、非排他的な含みをカバーすることを意味し、一連の要素を含む過程、方法、品物、又は機器がそれらの要素を含むだけでなく、明確にリストされていない他の要素、又はこのような過程、方法、品物、又は機器が固有する要素も含む。より多くの制限がない場合、文句である「１つの．．．を含む」ことで限定された要素は、前記要素を含む過程、方法、品物、又は機器に、他の同様な要素がさらに含まれることを排除しない。
【０１４０】
上記に、本開示の具体的な実施例の記述によって既に本開示を開示したが、理解されるように、当業者は添付された請求項の精神及び範囲内に、本開示に対する各種補正、改善、又は同等物を設計することができる。これらの補正、改善、又は同等物も、本開示の保護請求している範囲内に含まれると認識されるべきである。
【図１】
2019068437.tif 000003
【図２】
2019068437.tif 000004
【図３】
2019068437.tif 000005
【図４】
2019068437.tif 000006
【図５ａ】
2019068437.tif 000007
【図５ｂ】
2019068437.tif 000008
【図６】
2019068437.tif 000009
【図７】
2019068437.tif 000010
【図８】
2019068437.tif 000011
【図９】
2019068437.tif 000012
【図１０】
2019068437.tif 000013
【図１１】
2019068437.tif 000014
【図１２】
2019068437.tif 000015
【図１３】
2019068437.tif 000016